(57)【要約】本発明は、耐食性、耐水蒸気性及び耐摩耗性に優れ、量産時でも光輝感等の充填材の特性を安定して発現することができる含フッ素積層体とその形成方法、並びに、被覆物品を提供する。含フッ素重合体（ａ）と耐熱性樹脂とからなるプライマー層（Ａ）、溶融加工性含フッ素重合体（ｂ）と充填材とからなる含フッ素層（Ｂ）、及び、溶融加工性含フッ素重合体（ｃ）からなる含フッ素層（Ｃ）を有する含フッ素積層体であって、上記プライマー層（Ａ）、上記含フッ素層（Ｂ）及び上記含フッ素層（Ｃ）は、この順に積層されていることを特徴とする含フッ素積層体である。【特許請求の範囲】
【請求項１】
含フッ素重合体（ａ）と耐熱性樹脂とからなるプライマー層（Ａ）、溶融加工性含フッ素重合体（ｂ）と充填材とからなる含フッ素層（Ｂ）、及び、溶融加工性含フッ素重合体（ｃ）からなる含フッ素層（Ｃ）を有する含フッ素積層体であって、
前記プライマー層（Ａ）、前記含フッ素層（Ｂ）及び前記含フッ素層（Ｃ）は、この順に積層されている
ことを特徴とする含フッ素積層体。
【請求項２】
溶融加工性含フッ素重合体（ｃ）は、テトラフルオロエチレン／パーフルオロ（アルキルビニルエーテル）共重合体、及び／又は、テトラフルオロエチレン／ヘキサフルオロプロピレン共重合体である請求の範囲第１項記載の含フッ素積層体。
【請求項３】
耐熱性樹脂は、ポリアミドイミド樹脂、ポリイミド樹脂及び／又はポリエーテルスルホン樹脂である請求の範囲第１又は２項記載の含フッ素積層体。
【請求項４】
含フッ素重合体（ａ）は、テトラフルオロエチレンホモポリマー、変性ポリテトラフルオロエチレン、テトラフルオロエチレン／ヘキサフルオロプロピレン共重合体、及び／又は、テトラフルオロエチレン／パーフルオロ（アルキルビニルエーテル）共重合体である請求の範囲第１、２又は３項記載の含フッ素積層体。
【請求項５】
溶融加工性含フッ素重合体（ｂ）は、テトラフルオロエチレン／パーフルオロ（アルキルビニルエーテル）共重合体、及び／又は、テトラフルオロエチレン／ヘキサフルオロプロピレン共重合体である請求の範囲第１、２、３又は４項記載の含フッ素積層体。
【請求項６】
充填材は、マイカ、金属粉末及び／又はガラスビーズからなる光輝性充填材である請求の範囲第１、２、３、４又は５項記載の含フッ素積層体。
【請求項７】
プライマー層（Ａ）は、膜厚が５〜３０μｍであるものであり、
含フッ素層（Ｂ）は、膜厚が５〜３０μｍであるものであり、
含フッ素層（Ｃ）は、膜厚が１０〜９０μｍであるものである請求の範囲第１、２、３、４、５又は６項記載の含フッ素積層体。
【請求項８】
請求の範囲第１、２、３、４、５、６又は７項記載の含フッ素積層体を形成するための含フッ素積層体形成方法であって、
基材上に含フッ素重合体（ａ）と耐熱性樹脂とからなるプライマー用被覆組成物を塗布することよりプライマー塗布膜（Ａｐ）を形成する工程（１）、
前記プライマー塗布膜（Ａｐ）上に溶融加工性含フッ素重合体（ｂ）と充填材とからなる充填材含有液状組成物を塗布することより含フッ素塗布膜（Ｂｐ）を形成する工程（２）、
前記含フッ素塗布膜（Ｂｐ）上に溶融加工性含フッ素重合体（ｃ）からなる含フッ素粉体を塗布することにより含フッ素膜（Ｃｐ）を形成する工程（３）、並びに、
前記プライマー塗布膜（Ａｐ）、前記含フッ素塗布膜（Ｂｐ）及び前記含フッ素膜（Ｃｐ）からなる塗布膜積層体を焼成することにより前記含フッ素積層体を形成する工程（４）
を有する
ことを特徴とする含フッ素積層体形成方法。
【請求項９】
耐熱性樹脂は、ポリエーテルスルホン樹脂、並びに、ポリアミドイミド樹脂及び／又はポリイミド樹脂であり、
前記ポリエーテルスルホン樹脂は、前記ポリエーテルスルホン樹脂、並びに、前記ポリアミドイミド樹脂及び／又はポリイミド樹脂の合計量の６５〜８５質量％である請求の範囲第８項記載の含フッ素積層体形成方法。
【請求項１０】
耐熱性樹脂は、前記耐熱性樹脂及び含フッ素重合体（ａ）の固形分合計量の１５〜５０質量％である請求の範囲第８又は９項記載の含フッ素積層体形成方法。
【請求項１１】
基材と、請求の範囲第１、２、３、４、５、６又は７項記載の含フッ素積層体とからなる
ことを特徴とする被覆物品。
【発明の詳細な説明】
【技術分野】  本発明は、含フッ素積層体、含フッ素積層体形成方法及び被覆物品に関する。
【背景技術】  テトラフルオロエチレン／パーフルオロ（アルキルビニルエーテル）共重合体〔ＰＦＡ〕等のフッ素含有重合体は、低摩擦係数を有し、非粘着性、耐薬品性、耐熱性等の特性に優れているので、食品工業用品、フライパンや鍋等の厨房器具、アイロン等の家庭用品、電気工業用品、機械工業用品等の表面加工に広く用いられている。
表面加工は、フッ素含有重合体からなる層を基材上に形成することにより行うが、用いるフッ素含有重合体がＰＦＡ等の溶融加工性のものであると、一般的な工業生産方法で厚い層を得ることが容易であり、得られる物品の表面は、フッ素含有重合体が有する各種の特性を容易に発揮することができる。
フッ素含有重合体は、しかしながら、その非粘着性により、基材との密着性が乏しい。この密着性の向上を目的として、耐熱性樹脂等のバインダー樹脂とフッ素含有重合体とを配合したプライマーを下塗りとして予め基材上に塗装し、得られるプライマー層と、フッ素含有重合体からなる層を有する積層体が提案された。
このような積層体は、意匠性の付与、強度の向上等を目的として形成時に充填材を添加することがあり、例えば、意匠性として光輝感が求められる場合、光輝性充填材を添加している。
光輝感を有する積層体としては、光輝性充填材としてマイカを添加したプライマー層と、その上に形成したＰＦＡからなるトップコート層との２層構造の積層体がある。この積層体は、しかしながら、マイカがプライマー層中で沈降しやすく、光輝感が充分でないという問題があった。
この問題を解決するため、光輝性充填材としてマイカの代わりにアルミニウム粉末を用いることが提案されたが、アルミニウム粉末は、マイカよりも沈降しやすく、量産した場合、得られる積層体の光輝感が安定しないばかりか、耐食性にも悪影響を及ぼすという問題があった。
安定した光輝感を有し、耐食性に優れた積層体としては、ポリテトラフルオロエチレン〔ＰＴＦＥ〕とマイカとからなる層を中間層とし、その下にバインダー樹脂とフッ素含有重合体とからなるプライマー層を設け、ＰＦＡからなる粉体塗料を用いてトップコート層を形成した３層構造の積層体がある（例えば、特開平７−１１１９４６号公報（第１−３頁）及び特許第２５９３０４３号明細書（第１−３頁）参照。）。
この積層体は、量産された場合でも光輝感が安定している。しかしながら、この積層体と基材とからなる物品は、鍋等の厨房器具に使用すると、耐水蒸気性が充分ではなく、水蒸気によってブリスターが発生するおそれがあった。
形成時に充填材を添加する積層体のうち、耐引掻性に優れたものとして、基材上に、充填材として酸化アルミニウムを用いたプライマー層を形成し、このプライマー層上に、ＰＦＡ等の溶融加工性フッ素含有重合体とＰＴＦＥと酸化アルミニウムとからなる中間層を形成し、この中間層上に、ＰＴＦＥからなるトップコート層を形成したものがある（例えば、特許第２６４４３８０号明細書（第１−４頁）参照。）。
この積層体は、しかしながら、プライマー層中で酸化アルミニウムが沈降するおそれがあるので基材の耐食性に悪影響を及ぼし、また、トップコート層がＰＴＦＥからなるものであるので、一般的な工業生産方法で厚い層を得ることは容易でなく、耐摩耗性等の耐久性に劣るという問題があった。
発明の要約
本発明の目的は、上記現状に鑑み、耐食性、耐水蒸気性及び耐摩耗性に優れ、量産時でも光輝感等の充填材の特性を安定して発現することができる含フッ素積層体とその形成方法、並びに、被覆物品を提供することにある。
本発明は、含フッ素重合体（ａ）と耐熱性樹脂とからなるプライマー層（Ａ）、溶融加工性含フッ素重合体（ｂ）と充填材とからなる含フッ素層（Ｂ）、及び、溶融加工性含フッ素重合体（ｃ）からなる含フッ素層（Ｃ）を有する含フッ素積層体であって、上記プライマー層（Ａ）、上記含フッ素層（Ｂ）及び上記含フッ素層（Ｃ）は、この順に積層されていることを特徴とする含フッ素積層体である。
本発明は、上記含フッ素積層体を形成するための含フッ素積層体形成方法であって、
基材上に含フッ素重合体（ａ）と耐熱性樹脂とからなるプライマー用被覆組成物を塗布することよりプライマー塗布膜（Ａｐ）を形成する工程（１）、
上記プライマー塗布膜（Ａｐ）上に溶融加工性含フッ素重合体（ｂ）と充填材とからなる充填材含有液状組成物を塗布することより含フッ素塗布膜（Ｂｐ）を形成する工程（２）、
上記含フッ素塗布膜（Ｂｐ）上に溶融加工性含フッ素重合体（ｃ）からなる含フッ素粉体を塗布することにより含フッ素膜（Ｃｐ）を形成する工程（３）、並びに、
上記プライマー塗布膜（Ａｐ）、上記含フッ素塗布膜（Ｂｐ）及び上記含フッ素膜（Ｃｐ）からなる塗布膜積層体を焼成することにより上記含フッ素積層体を形成する工程（４）
を有することを特徴とする含フッ素積層体形成方法である。
発明の詳細な開示
以下に本発明を詳細に説明する。
本発明の含フッ素積層体は、含フッ素重合体（ａ）と耐熱性樹脂とからなるプライマー層（Ａ）、溶融加工性含フッ素重合体（ｂ）と充填材とからなる含フッ素層（Ｂ）、及び、溶融加工性含フッ素重合体（ｃ）からなる含フッ素層（Ｃ）を有するものであって、上記プライマー層（Ａ）、上記含フッ素層（Ｂ）及び上記含フッ素層（Ｃ）は、この順に積層されているものである。
本発明の含フッ素積層体は、後述の基材を含まないものである。
本発明の含フッ素積層体における上記プライマー層（Ａ）は、基材上に形成することに好適である。上記プライマー層（Ａ）は、含フッ素重合体（ａ）と耐熱性樹脂とからなる後述のプライマー用被覆組成物を基材上に塗布し、必要に応じて乾燥し、次いで焼成することにより得られるものである。上記プライマー層（Ａ）は、上記含フッ素重合体（ａ）と上記耐熱性樹脂とが表面張力に差を有することから、焼成時に上記含フッ素重合体（ａ）が浮上し、基材から遠い距離にある表面側に主として上記含フッ素重合体（ａ）が配置し、基材側に主として上記耐熱性樹脂が配置しているものである。
上記プライマー層（Ａ）は、上記耐熱性樹脂が基材との接着性を有するので、基材に対する密着性に優れている。上記プライマー層（Ａ）は、また、上記含フッ素重合体（ａ）が後述の溶融加工性含フッ素重合体（ｂ）と親和性を有するので、後述の含フッ素層（Ｂ）との密着性に優れている。このように、上記プライマー層（Ａ）は、基材及び含フッ素層（Ｂ）の双方に対し、優れた密着性を有するものである。
上記プライマー層（Ａ）は、含フッ素重合体（ａ）と耐熱性樹脂とからなるものである。
上記含フッ素重合体（ａ）は、主鎖又は側鎖を構成する炭素原子に直接結合しているフッ素原子を有する重合体である。上記含フッ素重合体（ａ）は、非溶融加工性であってもよいし、溶融加工性であってもよい。
上記含フッ素重合体（ａ）は、含フッ素モノエチレン系不飽和炭化水素（Ｉ）を重合することにより得られるものである。
上記「含フッ素モノエチレン系不飽和炭化水素（Ｉ）（以下、「不飽和炭化水素（Ｉ）」という。）」とは、フッ素原子により水素原子の一部又は全部が置換されているビニル基を分子中に１個有する不飽和炭化水素を意味する。
上記不飽和炭化水素（Ｉ）は、フッ素原子により置換されていない水素原子の一部又は全部が、塩素原子等のフッ素原子以外のハロゲン原子、及び／又は、トリフルオロメチル基等のフルオロアルキル基により置換されているものであってもよい。但し、上記不飽和炭化水素（Ｉ）は、後述のトリフルオロエチレンを除く。
上記不飽和炭化水素（Ｉ）としては特に限定されず、例えば、テトラフルオロエチレン〔ＴＦＥ〕、ヘキサフルオロプロピレン〔ＨＦＰ〕、クロロトリフルオロエチレン〔ＣＴＦＥ〕、ビニリデンフルオライド〔ＶｄＦ〕、フッ化ビニル〔ＶＦ〕等が挙げられ、これらは、１種又は２種以上を用いることができる。
上記含フッ素重合体（ａ）は、上記不飽和炭化水素（Ｉ）の単独重合体であってもよい。上記不飽和炭化水素（Ｉ）の単独重合体としては、例えば、テトラフルオロエチレンホモポリマー〔ＴＦＥホモポリマー〕、ポリクロロトリフルオロエチレン〔ＰＣＴＦＥ〕、ポリビニリデンフルオライド〔ＰＶｄＦ〕、ポリフッ化ビニル〔ＰＶＦ〕等が挙げられる。
上記含フッ素重合体（ａ）は、また、少なくとも１種の上記不飽和炭化水素（Ｉ）と、上記不飽和炭化水素（Ｉ）と共重合し得る不飽和化合物（ＩＩ）との共重合体であってもよい。
上記不飽和化合物（ＩＩ）は、１種又は２種以上の不飽和化合物（ＩＩ）のみを重合することにより得られる重合体を上記含フッ素重合体（ａ）として用いないものであるが、上記不飽和炭化水素（Ｉ）が１種又は２種以上の上記不飽和炭化水素（Ｉ）のみを重合することにより得られる重合体を上記含フッ素重合体（ａ）として用い得るものである点で、上記不飽和炭化水素（Ｉ）と異なるものである。
上記不飽和化合物（ＩＩ）としては特に限定されず、例えば、トリフルオロエチレン〔３ＦＨ〕；エチレン〔Ｅｔ〕、プロピレン〔Ｐｒ〕等のハロゲン原子を有しないモノエチレン系不飽和炭化水素等が挙げられる。これらは、１種又は２種以上を用いることができる。
上記含フッ素重合体（ａ）は、また、２種以上の上記不飽和炭化水素（Ｉ）の共重合体であってもよい。上記２種以上の上記不飽和炭化水素（Ｉ）の共重合体と、上記少なくとも１種の上記不飽和炭化水素（Ｉ）と不飽和化合物（ＩＩ）との共重合体としては特に限定されず、例えば、２元共重合体、３元共重合体等が挙げられる。
上記２元共重合体としては特に限定されず、例えば、ＶｄＦ／ＨＦＰ共重合体、Ｅｔ／ＣＴＦＥ共重合体〔ＥＣＴＦＥ〕、Ｅｔ／ＨＦＰ共重合体等が挙げられる。上記２元共重合体は、また、ＴＦＥ／ＨＦＰ共重合体〔ＦＥＰ〕、ＴＦＥ／ＣＴＦＥ共重合体、ＴＦＥ／ＶｄＦ共重合体、ＴＦＥ／３ＦＨ共重合体、Ｅｔ／ＴＦＥ共重合体〔ＥＴＦＥ〕、ＴＦＥ／Ｐｒ共重合体等のＴＦＥ系共重合体であってもよい。本明細書において、上記「ＴＦＥ系共重合体」とは、ＴＦＥと、ＴＦＥ以外のその他の単量体の１種又は２種以上とを共重合して得られるものを意味する。上記ＴＦＥ系共重合体は、通常、上記ＴＦＥ系共重合体中に付加されているＴＦＥ以外のその他の単量体の割合が、上記ＴＦＥと上記その他の単量体との合計質量の１質量％を超えていることが好ましい。
上記３元共重合体としては、ＶｄＦ／ＴＦＥ／ＨＦＰ共重合体等が挙げられる。
上記ＴＦＥ系共重合体における上記ＴＦＥ以外のその他の単量体としては、下記のＴＦＥと共重合し得るその他の単量体（ＩＩＩ）であってもよい。上記その他の単量体（ＩＩＩ）は、下記一般式
Ｘ（ＣＦ２）ｍＯｎＣＦ＝ＣＦ２
（式中、Ｘは、−Ｈ、−Ｃｌ又は−Ｆを表し、ｍは、１〜６の整数を表し、ｎは、０又は１の整数を表す。）で表される化合物（但し、ＨＦＰを除く。）、下記一般式
Ｃ３Ｆ７Ｏ［ＣＦ（ＣＦ３）ＣＦ２Ｏ］ｐ−ＣＦ＝ＣＦ２
（式中、ｐは、１又は２の整数を表す。）で表される化合物、又は、下記一般式
Ｘ（ＣＦ２）ｑＣＹ＝ＣＨ２
（式中、Ｘは、上記と同じであり、Ｙは、−Ｈ又は−Ｆを表し、ｑは、１〜６の整数を表す。）で表される化合物である。これらは、１種又は２種以上を用いることができる。
このようなＴＦＥ系共重合体としては、例えば、ＴＦＥ／パーフルオロ（アルキルビニルエーテル）〔ＰＡＶＥ〕共重合体〔ＰＦＡ〕等が挙げられる。
上記含フッ素重合体（ａ）は、また、変性ポリテトラフルオロエチレン〔変性ＰＴＦＥ〕であってもよい。本明細書において、上記「変性ＰＴＦＥ」とは、得られる共重合体に溶融加工性を付与しない程度の少量の共単量体をＴＦＥと共重合してなるものを意味する。上記少量の共単量体としては特に限定されず、例えば、上記不飽和炭化水素（Ｉ）のうちＨＦＰ、ＣＴＦＥ等が挙げられ、上記不飽和化合物（ＩＩ）のうち３ＦＨ等が挙げられ、上記その他の単量体（ＩＩＩ）のうちＰＡＶＥ、パーフルオロ（アルコキシビニルエーテル）、（パーフルオロアルキル）エチレン等が挙げられる。上記少量の共単量体は、１種又は２種以上を用いることができる。
上記少量の共単量体が上記変性ＰＴＦＥに付加されている割合は、その種類によって異なるが、例えば、ＰＡＶＥ、パーフルオロ（アルコキシビニルエーテル）等を用いる場合、通常、上記ＴＦＥと上記少量の共単量体との合計質量の０．００１〜１質量％であることが好ましい。
上記含フッ素重合体（ａ）としては、１種又は２種以上であってよく、上記不飽和炭化水素（Ｉ）の単独重合体の１種と上記不飽和炭化水素（Ｉ）の共重合体の１種又は２種類以上との混合物、又は、上記不飽和炭化水素（Ｉ）の共重合体の２種類以上の混合物であってもよい。
上記混合物としては、例えば、ＴＦＥホモポリマーと上記ＴＦＥ系共重合体との混合物、上記ＴＦＥ系共重合体に属する２種類以上の共重合体の混合物等が挙げられ、このような混合物としては、例えば、ＴＦＥホモポリマーとＰＦＡとの混合物、ＴＦＥホモポリマーとＦＥＰとの混合物、ＴＦＥホモポリマーとＰＦＡとＦＥＰとの混合物、ＰＦＡとＦＥＰとの混合物等が挙げられる。
上記含フッ素重合体（ａ）は、また、パーフルオロアルキル基を有するパーフルオロアルキル基含有エチレン性不飽和単量体（ＩＶ）（以下、「不飽和単量体（ＩＶ）」という。）を重合することにより得られるものであってもよい。上記不飽和単量体（ＩＶ）は、下記一般式
2004041537.tif 000002
（式中、Ｒｆは、炭素数４〜２０のパーフルオロアルキル基を表し、Ｒ１は、−Ｈ又は炭素数１〜１０のアルキル基を表し、Ｒ２は、炭素数１〜１０のアルキレン基を表し、Ｒ３は、−Ｈ又はメチル基を表し、Ｒ４は、炭素数１〜１７のアルキル基を表し、ｒは、１〜１０の整数を表し、ｓは、０〜１０の整数を表す。）で表されるものである。
上記含フッ素重合体（ａ）は、上記不飽和単量体（ＩＶ）の単独重合体であってもよいし、また、上記不飽和単量体（ＩＶ）と上記不飽和単量体（ＩＶ）と共重合し得る単量体（Ｖ）との共重合体であってもよい。
上記単量体（Ｖ）としては特に限定されず、例えば、（メタ）アクリル酸シクロヘキシル、（メタ）アクリル酸ベンジルエステル、ジ（メタ）アクリル酸ポリエチレングリコール、Ｎ−メチロールプロパンアクリルアミド、（メタ）アクリル酸アミド、アルキル基の炭素数が１〜２０である（メタ）アクリル酸のアルキルエステル等の（メタ）アクリル酸誘導体；エチレン、塩化ビニル、フッ化ビニル、スチレン、α−メチルスチレン、ｐ−メチルスチレン等の置換又は非置換エチレン；アルキル基の炭素数が１〜２０であるアルキルビニルエーテル、アルキル基の炭素数が１〜２０であるハロゲン化アルキルビニルエーテル等のビニルエーテル類；アルキル基の炭素数が１〜２０であるビニルアルキルケトン等のビニルケトン類；無水マレイン酸等の脂肪族不飽和ポリカルボン酸及びその誘導体；ブタジエン、イソプレン、クロロプレン等のポリエン等が挙げられる。
上記含フッ素重合体（ａ）は、例えば、乳化重合等の従来公知の重合方法等を用いることにより得ることができる。
上記含フッ素重合体（ａ）としては、得られる含フッ素積層体が耐食性及び耐水蒸気性に優れる点から、ＴＦＥホモポリマー、変性ＰＴＦＥ、上記ＴＦＥ系共重合体が好ましい。上記ＴＦＥ系共重合体としては、ＦＥＰ、ＰＦＡが好ましい。
上記含フッ素重合体（ａ）としては、ＴＦＥホモポリマー、変性ＰＴＦＥ、ＦＥＰ及び／又はＰＦＡがより好ましい。
上記含フッ素重合体（ａ）としては、得られるプライマー層（Ａ）と後述の含フッ素層（Ｂ）との密着性が優れる点から、ＴＦＥ系共重合体を含むものが更に好ましい。上記プライマー層（Ａ）と後述の含フッ素層（Ｂ）との密着性が優れる含フッ素積層体は、耐水蒸気性に優れるので、水蒸気の存在下にあってもブリスター等の塗膜欠陥の発生を抑制することができる。ＴＦＥ系共重合体を含む含フッ素重合体（ａ）としては、例えば、ＰＦＡ単独、ＴＦＥホモポリマーとＦＥＰとの混合物、ＴＦＥホモポリマーとＰＦＡとの混合物、変性ＰＴＦＥとＦＥＰとの混合物、変性ＰＴＦＥとＰＦＡとの混合物等が挙げられる。
プライマー層（Ａ）における含フッ素重合体（ａ）としては、得られる含フッ素積層体が耐食性及び耐水蒸気性に優れ、上記プライマー層（Ａ）が後述の含フッ素層（Ｂ）への密着性に優れる点から、ＰＦＡ単独、ＴＦＥホモポリマーとＰＦＡとの混合物、ＴＦＥホモポリマーとＦＥＰとの混合物が好ましく、ＴＦＥホモポリマーとＦＥＰとの混合物がより好ましい。
上記プライマー層（Ａ）は、上述の含フッ素重合体（ａ）とともに、耐熱性樹脂からなるものである。
上記耐熱性樹脂は、通常、耐熱性を有すると認識されている樹脂であればよく、連続使用可能温度が１５０℃以上の樹脂が好ましい。但し、上記耐熱性樹脂としては、上述の含フッ素重合体（ａ）を除く。
上記耐熱性樹脂としては特に限定されず、例えば、ポリアミドイミド樹脂、ポリイミド樹脂、ポリエーテルスルホン樹脂、ポリエーテルイミド樹脂、ポリエーテルエーテルケトン樹脂、芳香族ポリエステル樹脂、ポリアリレンサルファイド樹脂等が挙げられる。上記耐熱性樹脂としては、１種又は２種以上を用いることができる。
上記ポリアミドイミド樹脂〔ＰＡＩ〕は、分子構造中にアミド結合及びイミド結合を有する重合体からなる樹脂である。上記ＰＡＩとしては特に限定されず、例えば、アミド結合を分子内に有する芳香族ジアミンとピロメリット酸等の芳香族四価カルボン酸との反応；無水トリメリット酸等の芳香族三価カルボン酸と４，４−ジアミノフェニルエーテル等のジアミンやジフェニルメタンジイソシアネート等のジイソシアネートとの反応；芳香族イミド環を分子内に有する二塩基酸とジアミンとの反応等の各反応により得られる高分子量重合体からなる樹脂等が挙げられる。上記ＰＡＩとしては、耐熱性に優れる点から、主鎖中に芳香環を有する重合体からなるものが好ましい。
上記ポリイミド樹脂〔ＰＩ〕は、分子構造中にイミド結合を有する重合体からなる樹脂である。上記ＰＩとしては特に限定されず、例えば、無水ピロメリット酸等の芳香族四価カルボン酸無水物の反応等により得られる高分子量重合体からなる樹脂等が挙げられる。上記ＰＩとしては、耐熱性に優れる点から、主鎖中に芳香環を有する重合体からなるものが好ましい。
上記ポリエーテルスルホン樹脂〔ＰＥＳ〕は、下記一般式
2004041537.tif 000003
で表される繰り返し単位を有する重合体からなる樹脂である。上記ＰＥＳとしては特に限定されず、例えば、ジクロロジフェニルスルホンとビスフェノールとの重縮合により得られる重合体からなる樹脂等が挙げられる。
上記耐熱性樹脂は、基材との密着性に優れ、含フッ素積層体を形成する際に行う焼成時の温度下でも充分な耐熱性を有し、得られる含フッ素積層体が耐食性及び耐水蒸気性に優れる点から、ＰＡＩ、ＰＩ及び／又はＰＥＳが好ましい。上記「ＰＡＩ、ＰＩ及び／又はＰＥＳ」とは、ＰＡＩ単独、ＰＩ単独、ＰＥＳ単独、ＰＡＩとＰＩとの混合物、ＰＥＳとＰＡＩとの混合物、ＰＥＳとＰＩとの混合物、ＰＥＳとＰＡＩとＰＩとの混合物を意味する。
ＰＡＩ、ＰＩ及びＰＥＳは、それぞれが１種又は２種以上からなるものであってよい。
上記耐熱性樹脂としては、基材との密着性及び耐熱性に優れる点から、ＰＡＩ及び／又はＰＩがより好ましい。上記「ＰＡＩ及び／又はＰＩ」とは、ＰＡＩ単独、ＰＩ単独、又は、ＰＡＩとＰＩとの混合物を意味する。
上記耐熱性樹脂としては、耐食性と耐水蒸気性に優れる点から、ＰＥＳ、並びに、ＰＡＩ及び／又はＰＩが更に好ましい。上記「ＰＥＳ、並びに、ＰＡＩ及び／又はＰＩ」とは、ＰＥＳとＰＡＩとの混合物、ＰＥＳとＰＩとの混合物、又は、ＰＥＳとＰＡＩとＰＩとの混合物を意味する。上記耐熱性樹脂は、上記ＰＥＳ及びＰＡＩの混合物であることが特に好ましい。
上記プライマー層（Ａ）において、上記ＰＥＳは、ＰＥＳ、並びに、ＰＡＩ及び／又はＰＩの合計量の６５〜８５質量％であることが好ましい。
上記プライマー層（Ａ）は、上記含フッ素重合体（ａ）と上記耐熱性樹脂とからなるものであるが、上記耐熱性樹脂は、上記耐熱性樹脂及び含フッ素重合体（ａ）の固形分合計量の１５〜５０質量％であることが好ましい。
上記プライマー層（Ａ）は、主として、重合体成分と後述の添加剤類とからなるものである。上記プライマー層（Ａ）は、重合体成分が含フッ素重合体（ａ）及び耐熱性樹脂であるものが好ましい。本明細書において、上記「プライマー層（Ａ）は、重合体成分が含フッ素重合体（ａ）及び耐熱性樹脂である」とは、プライマー層（Ａ）における重合体が含フッ素重合体（ａ）及び耐熱性樹脂のみであることを意味する。上記プライマー層（Ａ）は、その重合体成分が含フッ素重合体（ａ）及び耐熱性樹脂であることにより、基材及び後述の含フッ素層（Ｂ）の双方に対して優れた密着性を効率よく有するものである。
上記プライマー層（Ａ）は、基材及び後述の含フッ素層（Ｂ）の双方に対して優れた密着性を効率良く有する点から、重合体成分が含フッ素重合体（ａ）及び耐熱性樹脂であるものが好ましいが、含フッ素積層体の耐食性及び耐水蒸気性をより向上させることができる点から、含フッ素重合体（ａ）と耐熱性樹脂とともに、更に、その他の樹脂からなるものであってもよい。
上記その他の樹脂としては特に限定されず、例えば、フェノール樹脂、尿素樹脂、エポキシ樹脂、ウレタン樹脂、メラミン樹脂、ポリエステル樹脂、ポリエーテル樹脂、アクリル樹脂、アクリルシリコーン樹脂、シリコーン樹脂、シリコーンポリエステル樹脂等が挙げられる。上記その他の樹脂としては、本発明の含フッ素積層体が焼成することにより得られるものであることから、耐熱性であることが好ましい。
本発明の含フッ素積層体は、溶融加工性含フッ素重合体（ｂ）と充填材とからなる含フッ素層（Ｂ）を有するものである。
本発明の含フッ素積層体は、上記含フッ素層（Ｂ）が上記プライマー層（Ａ）上に形成されているものである。上記含フッ素層（Ｂ）は、その上に後述の含フッ素層（Ｃ）が積層されているものである。
上記溶融加工性含フッ素重合体（ｂ）は、主鎖又は側鎖を構成する炭素原子に直接結合しているフッ素原子を有する重合体のうち、溶融加工性を有するものである。
上記溶融加工性含フッ素重合体（ｂ）としては、上述の含フッ素重合体（ａ）のうち、溶融加工性を有するものを用いることができる。上記溶融加工性含フッ素重合体（ｂ）は、上記含フッ素層（Ｂ）が上述のプライマー層（Ａ）と後述の含フッ素層（Ｃ）との密着性に優れ、得られる含フッ素積層体が耐食性及び耐水蒸気性に優れる点から、１５０〜３５０℃の融点を有し、融点より５０℃高い温度における溶融粘度が１０６（パスカル・秒）以下であるものが好ましく、上述のＴＦＥ系共重合体であることが好ましい。上記溶融加工性含フッ素重合体（ｂ）は、１種又は２種以上であってよい。上記溶融加工性含フッ素重合体（ｂ）は、ＰＦＡ及び／又はＦＥＰであることがより好ましい。上記「ＰＦＡ及び／又はＦＥＰである」とは、ＰＦＡ又はＦＥＰのそれぞれ単独であってもよいし、これらの混合物であってもよいことを意味する。上記溶融加工性含フッ素重合体（ｂ）は、耐熱性に優れる点から、ＰＦＡであることが更に好ましい。
上記含フッ素層（Ｂ）は、上記溶融加工性含フッ素重合体（ｂ）とともに、充填材からなるものである。
本明細書において、上記「充填材」とは、得られる含フッ素積層体に対する特性付与、物性向上、増量等を目的として用いるものであって、後述の充填材含有組成物における液状媒体に溶解しないものを意味する。上記特性や物性としては、強度、耐久性、耐侯性、難燃性等が挙げられる。
上記充填材としては特に限定されず、例えば、木粉、石英砂、カーボンブラック、クレー、タルク、体質顔料、光輝性偏平顔料、鱗片状顔料、ガラス、各種強化材、各種増量材、導電性フィラー等が挙げられる。上記充填材としては、本発明の含フッ素積層体が光輝感を有することを要求される場合、光輝性充填材が好ましい。上記「光輝性充填材」は、得られる含フッ素積層体に光輝感を付与することができる充填材である。
上記光輝性充填材としては、光輝性偏平顔料や鱗片状顔料に分類されるもの、ガラス等が挙げられ、これらは１種又は２種以上を用いることができる。上記光輝性偏平顔料や鱗片状顔料に分類されるものとしては特に限定されず、例えば、マイカ、金属粉末等が挙げられる。上記ガラスとしては特に限定されず、例えば、ガラスビーズ、ガラスバブル、ガラスフレーク、ガラス繊維等が挙げられる。上記光輝性偏平顔料や鱗片状顔料に分類されるもの及びガラスとしては、それぞれ１種又は２種以上を用いることができる。
上記充填材としては、マイカ、金属粉末及び／又はガラスビーズからなる光輝性充填材がより好ましい。このような光輝性充填材は、マイカ、金属粉末及び／又はガラスビーズを含むものであればよく、マイカ、金属粉末及び／又はガラスビーズのみであってもよいし、マイカ、金属粉末及び／又はガラスビーズと、含フッ素積層体に光輝感を付与することができるその他の充填材とであってもよい。上記「マイカ、金属粉末及び／又はガラスビーズ」とは、マイカ単独、金属粉末単独、ガラスビーズ単独、マイカと金属粉末との混合物、マイカとガラスビーズとの混合物等、又は、金属粉末とガラスビーズとの混合物を意味する。
マイカ、金属粉末及びガラスとしては、一般に、得られる含フッ素積層体に光輝感を付与することができないものもあり得るが、上記「マイカ、金属粉末及び／又はガラスビーズからなる光輝性充填材」におけるマイカ、金属粉末及び／又はガラスビーズは、光輝感を付与することができるものである。
上記金属粉末としては特に限定されず、例えば、アルミニウム、鉄、すず、亜鉛、銅等の金属単体の粉末；アルミニウム合金、ステンレス等の合金の粉末等が挙げられる。上記金属粉末の形状としては特に限定されず、例えば、粒子状、フレーク状等が挙げられるが、光輝感に優れる点からフレーク状が好ましい。
上記充填材は、光輝感及び経済性に優れる点から、マイカ及び／又はアルミニウム粉末からなる光輝性充填材が更に好ましい。このような光輝性充填材としては、マイカ単独、アルミニウム粉末単独、又は、マイカとアルミニウム粉末との混合物が挙げられる。上記アルミニウム粉末の形状としては、フレーク状が好ましい。上記充填材は、得られる含フッ素積層体が耐食性に優れる点から、マイカからなる光輝性充填材であることが特に好ましい。
上記含フッ素層（Ｂ）において、上記充填材は、溶融加工性含フッ素重合体（ｂ）の固形分に対して０．００１〜１０質量％であることが好ましい。０．００１質量％未満であると、上記含フッ素層（Ｂ）が光輝感を付与し得る充填材からなるものである場合、得られる含フッ素積層体の光輝感が充分ではなく、１０質量％を超えると、耐食性及び耐水蒸気性が低下するおそれがある。好ましい下限は、０．０１質量％であり、好ましい上限は、５質量％である。
上記含フッ素層（Ｂ）は、主として、重合体成分、充填材及び後述の添加剤類からなるものである。上記含フッ素層（Ｂ）は、重合体成分が溶融加工性含フッ素重合体（ｂ）であるものが好ましい。本明細書において、上記「含フッ素層（Ｂ）は、重合体成分が溶融加工性含フッ素重合体（ｂ）である」とは、含フッ素層（Ｂ）における重合体が溶融加工性含フッ素重合体（ｂ）のみであることを意味する。上記含フッ素層（Ｂ）は、その重合体成分が溶融加工性含フッ素重合体（ｂ）であることにより、上記プライマー層（Ａ）及び後述の含フッ素層（Ｃ）の双方に対して優れた密着性を効率よく有するものである。
本発明の含フッ素積層体は、溶融加工性含フッ素重合体（ｃ）からなる含フッ素層（Ｃ）を有するものである。
本発明の含フッ素積層体は、上述の含フッ素層（Ｂ）上に含フッ素層（Ｃ）が形成されているものである。上記含フッ素層（Ｃ）は、上記含フッ素層（Ｂ）上に形成されている塗膜であってもよいし、フィルム、シート等の成形物であってもよく、いずれの場合であっても、溶融加工性含フッ素重合体（ｃ）の融点以上の温度で焼成されたものである。上記含フッ素層（Ｃ）は、含フッ素層（Ｂ）との密着性に優れる点から、含フッ素層（Ｂ）上に形成された塗膜であることが好ましい。
上記溶融加工性含フッ素重合体（ｃ）は、主鎖又は側鎖を構成する炭素原子に直接結合しているフッ素原子を有する重合体のうち、溶融加工性を有するものである。
上記溶融加工性含フッ素重合体（ｃ）としては、上述の含フッ素重合体（ａ）のうち溶融加工性を有するものを用いることができる。上記溶融加工性含フッ素重合体（ｃ）は、上述の含フッ素重合体（ａ）のうち溶融加工性を有するものであるという点で上記溶融加工性含フッ素重合体（ｂ）と共通するものであるが、含フッ素層（Ｃ）におけるものであるという点で、含フッ素層（Ｂ）におけるものである上記溶融加工性含フッ素重合体（ｂ）と異なるものである。
上記溶融加工性含フッ素重合体（ｃ）としては、造膜性に優れる点、含フッ素層（Ｃ）が上述の含フッ素層（Ｂ）への密着性に優れる点、並びに、得られる含フッ素積層体が耐食性及び耐水蒸気性に優れる点から、上記溶融加工性含フッ素重合体（ｂ）と同じもの等が挙げられ、なかでも１５０〜３５０℃の融点を有し、融点より５０℃高い温度における溶融粘度が１０６（パスカル・秒）以下であるものが好ましく、このようなものとしては、ＴＦＥ系共重合体が挙げられる。上記溶融加工性含フッ素重合体（ｃ）としては、耐熱性、非粘着性及び造膜性が優れる点から、ＰＦＡ及び／又はＦＥＰが好ましい。上記「ＰＦＡ及び／又はＦＥＰ」とは、ＰＦＡ単独、ＦＥＰ単独、ＰＦＡとＦＥＰとの混合物を意味する。上記溶融加工性含フッ素重合体（ｃ）としては、耐熱性により優れる点から、ＰＦＡがより好ましい。
上記含フッ素層（Ｃ）は、得られる含フッ素積層体が光輝感等の意匠性を有することを要求される場合、透明な層であることが好ましい。上記含フッ素層（Ｃ）が透明な層であると、含フッ素層（Ｃ）を通して上記含フッ素層（Ｂ）中の充填材を視認することができるので、充填材として光輝感を有するものを用いた場合、本発明の含フッ素積層体は、良好な光輝感を有する。
また、上記含フッ素層（Ｃ）が透明な層であると、上記含フッ素層（Ｃ）は、耐食性を悪化させる原因と通常考えられている着色顔料を有していないので、得られる含フッ素積層体は、より優れた耐食性及び耐水蒸気性を有する。
上記含フッ素層（Ｃ）は、主として、重合体成分及び後述の添加剤類からなるものである。上記含フッ素層（Ｃ）は、重合体成分が溶融加工性含フッ素重合体（ｃ）であるものが好ましい。本明細書において、上記「含フッ素層（Ｃ）は、重合体成分が溶融加工性含フッ素重合体（ｃ）である」とは、含フッ素層（Ｃ）における重合体が溶融加工性含フッ素重合体（ｃ）のみであることを意味する。上記含フッ素層（Ｃ）は、その重合体成分が溶融加工性含フッ素重合体（ｃ）であることにより、上記含フッ素層（Ｂ）に対して優れた密着性を有するものである。
本発明の含フッ素積層体において、上記プライマー層（Ａ）は、膜厚が５〜３０μｍであるものが好ましい。５μｍ未満であると、ピンホールが発生し易く、含フッ素積層体の耐食性が低下するおそれがある。３０μｍを超えると、クラックが生じ易くなり、含フッ素積層体の耐水蒸気性が低下するおそれがある。上記プライマー層（Ａ）の膜厚の好ましい上限は、２０μｍである。
本発明の含フッ素積層体において、上記含フッ素層（Ｂ）は、膜厚が５〜３０μｍであるものが好ましい。５μｍ未満であると、含フッ素積層体に光輝感を付与するため光輝感を有する充填材を用いた場合、得られる含フッ素積層体の光輝感が充分ではない場合がある。３０μｍを超えると、含フッ素層（Ｂ）にクラックを生じ易くなり、含フッ素積層体の耐水蒸気性が低下するおそれがある。上記含フッ素層（Ｂ）の膜厚の好ましい下限は、１０μｍであり、好ましい上限は、２０μｍである。
本発明の含フッ素積層体において、含フッ素層（Ｃ）は、膜厚が１０〜９０μｍであるものが好ましい。１０μｍ未満であると、ピンホールが生じ易くなり、含フッ素積層体の耐食性や耐摩耗性が低下するおそれがある。９０μｍを超えると、含フッ素積層体が水蒸気の存在下にある場合、水蒸気が含フッ素積層体中に残存し易くなり、耐水蒸気性に劣る場合がある。上記含フッ素層（Ｃ）の膜厚の好ましい下限は、３０μｍであり、好ましい上限は、７０μｍである。
本発明の含フッ素積層体は、上記プライマー層（Ａ）、上記含フッ素層（Ｂ）及び上記含フッ素層（Ｃ）が、この順に積層されているものである。本発明の含フッ素積層体は、上記プライマー層（Ａ）、上記含フッ素層（Ｂ）及び上記含フッ素層（Ｃ）が、この順に積層されているものであれば、上記プライマー層（Ａ）の上面、及び／又は、上記含フッ素層（Ｂ）の上面に文字、図面等の印刷が施されているものであってもよい。
本発明の含フッ素積層体は、また、上述のように、上記プライマー層（Ａ）、上記含フッ素層（Ｂ）及び上記含フッ素層（Ｃ）を有するものであればよく、上記含フッ素層（Ｃ）上に更に層が設けられているものであってもよい。
本発明の含フッ素積層体は、上述のように、プライマー層（Ａ）上に形成されている含フッ素層（Ｂ）が溶融加工性含フッ素重合体（ｂ）と充填材とからなるものであり、含フッ素層（Ｂ）上に形成されている含フッ素層（Ｃ）が、溶融加工性含フッ素重合体（ｃ）からなるものである。
本発明の含フッ素積層体は、溶融加工性含フッ素重合体（ｂ）と溶融加工性含フッ素重合体（ｃ）とが、どちらも溶融加工性であるので、含フッ素層（Ｂ）と含フッ素層（Ｃ）との密着性が優れ、耐食性及び耐水蒸気性に優れたものである。従来の、プライマー層、ＴＦＥホモポリマーからなる中間層及びＰＦＡからなるトップコート層がこの順に積層している積層体は、耐水蒸気性に劣るという問題があったが、この問題は、プライマー層と中間層との間が剥離しやすいことによると考えられる。この剥離は、ＴＦＥホモポリマーとＰＦＡとの熱膨張率や熱による収縮率に差があることに起因して、中間層とトップコート層に内部応力（ひずみ）が残留したり、ピンホールが発生しやすくなるので、プライマー層と中間層との間で起こりやすくなると考えられる。
本発明の含フッ素積層体は、上述のように含フッ素層（Ｂ）と含フッ素層（Ｃ）との密着性が優れ、耐食性及び耐水蒸気性に優れたものであり、そして、耐摩耗性に優れたものともなる。
本発明の含フッ素積層体は、また、含フッ素層（Ｂ）中で上記充填材を均一に分散させることができるので、充填材として光輝感を有するものを用いた場合、光輝感に優れたものである。本発明の含フッ素積層体は、また、充填材が基材に接触していないので、充填材として上述の金属粉末を用いた場合であっても、耐食性に優れたものである。
本発明の含フッ素積層体形成方法は、上述の含フッ素積層体を形成するためのものであって、
基材上に含フッ素重合体（ａ）と耐熱性樹脂とからなるプライマー用被覆組成物を塗布することよりプライマー塗布膜（Ａｐ）を形成する工程（ｉ）、
上記プライマー塗布膜（Ａｐ）上に溶融加工性含フッ素重合体（ｂ）と充填材とからなる充填材含有組成物を塗布することより含フッ素塗布膜（Ｂｐ）を形成する工程（ｉｉ）、並びに、
上記含フッ素塗布膜（Ｂｐ）上に溶融加工性含フッ素重合体（ｃ）からなる溶融加工性含フッ素組成物を用いて含フッ素膜（Ｃｐ）を形成して、含フッ素積層体を形成する工程（ｉｉｉ）
を含むものである。
上記工程（ｉ）において、上記プライマー用被覆組成物は、含フッ素重合体（ａ）と耐熱性樹脂とからなるものである。上記プライマー用被覆組成物は、液状であってもよいし、粉体であってもよい。上記プライマー用被覆組成物は、液状である場合、含フッ素重合体（ａ）と耐熱性樹脂とともに、液状媒体からなるものである。上記液状媒体は、通常、水及び／又は有機液体からなるものである。本明細書において、上記「有機液体」とは、有機化合物であって、２０℃程度の常温において液体であるものを意味する。
上記プライマー用被覆組成物の液状媒体が主に有機液体からなるものである場合、上記耐熱性樹脂並びに含フッ素重合体（ａ）は、上記液状媒体に粒子として分散したもの、及び／又は、上記液状媒体に溶解したものである。上記有機液体としては特に限定されず、例えば、Ｎ−メチル−２−ピロリドン、２−ピロリドン、Ｎ，Ｎ−ジメチルアセトアミド等の含窒素有機液体；トルエン、キシレン、トリメチルベンゼン、メチルエチルベンゼン、プロピルベンゼン、ブチルベンゼン等の芳香族炭化水素系溶剤；炭素数が６〜１２の飽和炭化水素系溶剤；γ−ブチロラクトン等のラクトン類；酢酸ブチル等の非環状エステル類；メチルイソブチルケトン、メチルエチルケトン等のケトン類；エチレングリコール、トリエチレングリコール、プロピレングリコール等のグリコール類；ブチルセロソルブ等のグリコールエーテル類；１−ブタノール、ジアセトンアルコール等のモノアルコール類等が挙げられる。
上記芳香族炭化水素系溶剤としては、市販品であるソルベッソ１００、ソルベッソ１５０、ソルベッソ２００（何れも商品名、エクソン化学社製）等を用いてもよい。上記飽和炭化水素系溶剤としては、市販品であるミネラルスピリット（日本工業規格、工業ガソリン４号）等を用いてもよい。
上記有機液体は、単独で用いてもよいし、２種以上を併用してもよい。
上記プライマー用被覆組成物の液状媒体が主に水からなるものである場合、上記耐熱性樹脂は、上記液状媒体に粒子として分散したもの、又は、上記液状媒体に溶解したものであり、含フッ素重合体（ａ）は、上記液状媒体に粒子として分散したものである。
上記プライマー用被覆組成物は、上記液状媒体が主に水からなるものである場合、通常、含フッ素重合体（ａ）からなる粒子を分散安定化させることを目的として、界面活性剤を添加してなるものである。上記界面活性剤としては特に限定されず、例えば、含フッ素系非イオン性界面活性剤等の非イオン性界面活性剤；含フッ素系アニオン性界面活性剤等のアニオン性界面活性剤；含フッ素系カチオン性界面活性剤等のカチオン性界面活性剤等が挙げられる。上記プライマー用被覆組成物は、含フッ素重合体（ａ）からなる粒子を分散安定化させることを目的として、上記界面活性剤とともに、上記有機液体を併用することもできる。
上記プライマー用被覆組成物は、また、特公昭４９−１７０１７号公報に記載されている方法、即ち、分散質が上記含フッ素重合体（ａ）からなる粒子と耐熱性樹脂からなる粒子であり、分散媒が主に水からなるものである水性分散体に、転層液である有機溶剤及び転層剤を加え、上記含フッ素重合体（ａ）からなる粒子と耐熱性樹脂からなる粒子とを上記有機溶剤に転層する方法等により得られるオルガノゾルであってもよい。
上記プライマー用被覆組成物は、基材との密着性に優れる点から液状のものであることが好ましく、環境問題の点から上記液状媒体が主に水からなるものがより好ましい。
上記プライマー用被覆組成物が液状のものである場合、上記プライマー用被覆組成物の粘度は、０．１〜５００００ｍＰａ・ｓであることが好ましい。０．１ｍＰａ・ｓ未満であると、基材上への塗布時にタレ等を生じやすく、目的とする膜厚を得ることが困難となる場合があり、５００００ｍＰａ・ｓを超えると、塗装作業性が悪くなる場合があり、得られるプライマー塗布膜（Ａｐ）の膜厚が均一とならず、表面平滑性等に劣る場合がある。より好ましい下限は、１ｍＰａ・ｓであり、より好ましい上限は、３００００ｍＰａ・ｓである。
上記プライマー用被覆組成物において、上記含フッ素重合体（ａ）は、平均粒子径が０．０１〜５μｍであるものが好ましい。上記耐熱性樹脂は、上記プライマー用被覆組成物中に粒子として分散している場合、その平均粒子径が０．５〜８μｍであるものが好ましい。
上記プライマー用被覆組成物において、上記耐熱性樹脂としては、上記含フッ素積層体が有するプライマー層（Ａ）について上述したように、ＰＥＳ、ＰＡＩ及び／又はＰＩが好ましく、ＰＡＩ及び／又はＰＩがより好ましく、ＰＥＳ、並びに、ＰＡＩ及び／又はＰＩが更に好ましい。
上記プライマー用被覆組成物において、上記ＰＥＳは、ＰＥＳ、並びに、ＰＡＩ及び／又はＰＩの合計量の６５〜８５質量％であることが好ましい。６５質量％未満であると、得られる含フッ素積層体の耐水蒸気性が低下するおそれがあり、８５質量％を超えると、耐食性が低下するおそれがある。
上記ＰＥＳの比率は、上述の耐熱性樹脂が、通常、後述の含フッ素積層体の形成時に行う焼成においても分解しないので、含フッ素積層体が有するプライマー層（Ａ）においても実質的に同じ比率である。
上記プライマー用被覆組成物において、上記耐熱性樹脂は、上記耐熱性樹脂及び含フッ素重合体（ａ）の固形分合計量の１５〜５０質量％であることが好ましい。
本明細書において、上記「固形分」とは、２０℃において固体であるものを意味する。
本明細書において、上記「上記耐熱性樹脂及び含フッ素重合体（ａ）の固形分合計量」とは、プライマー用被覆組成物を基材上に塗布したのち８０〜１００℃以下の温度で乾燥し、３８０〜４００℃で４５分間焼成した後の残渣における上記耐熱性樹脂と含フッ素重合体（ａ）との合計質量を意味する。
上記耐熱性樹脂は、上記耐熱性樹脂及び含フッ素重合体（ａ）の固形分合計量の１５質量％未満であると、得られる含フッ素積層体におけるプライマー層（Ａ）と基材との密着力が充分ではない場合がある。５０質量％を超えると、得られる含フッ素積層体におけるプライマー層（Ａ）と含フッ素層（Ｂ）との密着性が充分ではない場合がある。より好ましい下限は、２０質量％であり、より好ましい上限は、４０質量％である。
上記プライマー用被覆組成物は、上記含フッ素重合体（ａ）と耐熱性樹脂とともに、塗装作業性や得られる含フッ素積層体の耐食性及び耐水蒸気性をより向上させることを目的として、更に、上述の含フッ素層（Ｂ）における充填材以外の添加剤類からなるものであってもよい。
上記添加剤類としては特に限定されず、例えば、レベリング剤、固体潤滑剤、沈降防止剤、水分吸収剤、表面調整剤、チキソトロピー性付与剤、粘度調節剤、ゲル化防止剤、紫外線吸収剤、光安定剤、可塑剤、色分かれ防止剤、皮張り防止剤、スリ傷防止剤、防カビ剤、抗菌剤、酸化防止剤、帯電防止剤、シランカップリング剤等が挙げられる。
上記工程（ｉ）は、基材上にプライマー用被覆組成物を塗布することよりプライマー塗布膜（Ａｐ）を形成するものである。
上記基材は、必要に応じ、脱脂処理、粗面化処理等の表面処理を行ったものであってもよい。上記粗面化処理の方法としては特に限定されず、例えば、酸又はアルカリによるケミカルエッチング、陽極酸化（アルマイト処理）、サンドブラスト等が挙げられる。上記表面処理は、上記プライマー用被覆組成物をハジキを生じず均一に塗布することができる点、及び、基材とプライマー塗布膜（Ａｐ）との密着性が向上する点から、行うことが好ましい。
上記塗布の方法としては特に限定されず、上記プライマー用被覆組成物が液状である場合、例えば、スプレー塗装、ロール塗装、ドクターブレードによる塗装、ディップ（浸漬）塗装、含浸塗装、スピンフロー塗装、カーテンフロー塗装等が挙げられ、なかでも、スプレー塗装が好ましい。上記プライマー用被覆組成物が粉体である場合、静電塗装、流動浸漬法、ロトライニング法等が挙げられ、なかでも、静電塗装が好ましい。
上記工程（ｉ）は、基材上に上記プライマー用被覆組成物を塗布することより上記プライマー塗布膜（Ａｐ）を形成するものであればよく、上記塗布の後、上述の工程（ｉｉ）を行う前に焼成するものであってもよいし、焼成しないものであってもよいし、また、上記プライマー用被覆組成物が液状である場合、更に、上記塗布の後、乾燥するものであってもよいし、乾燥しないものであってもよい。
上記乾燥は、７０〜３００℃の温度で５〜６０分間行うことが好ましい。上記焼成は、２６０〜４１０℃の温度で１０〜３０分間行うことが好ましい。
上記プライマー用被覆組成物は、液状である場合、基材上に塗布したのち、通常、乾燥を行うものであることが好ましく、後述の工程（ｉｉｉ）において塗布膜積層体の焼成を行うので、焼成を行わないものであることがより好ましい。
上記プライマー用被覆組成物は、粉体である場合、基材上に塗布したのち、通常、焼成を行うものであることが好ましい。
上記プライマー塗布膜（Ａｐ）は、基材上に上記プライマー用被覆組成物を塗布することより形成されるものである。上記プライマー塗布膜（Ａｐ）は、上記工程（ｉ）において、上記塗布のみにより形成されたものであってもよいし、上記塗布の後、乾燥することにより形成されたものであってもよいし、上記塗布の後、必要に応じて乾燥した後、焼成することにより形成されるものであってもよい。上記プライマー塗布膜（Ａｐ）は、得られる含フッ素積層体においてプライマー層（Ａ）となる。
上記工程（ｉ）は、以下、「工程（１）」ということがある。
上記工程（ｉｉ）は、上記プライマー塗布膜（Ａｐ）上に充填材含有組成物を塗布することより含フッ素塗布膜（Ｂｐ）を形成するものである。
上記充填材含有組成物は、溶融加工性含フッ素重合体（ｂ）と充填材とからなるものである。上記充填材含有組成物は、液状の充填材含有液状組成物であることが好ましく、溶融加工性含フッ素重合体（ｂ）と充填材と液状媒体とからなるものであることが好ましい。上記液状媒体は、通常、水及び／又は有機液体からなるものである。
上記充填材含有液状組成物の液状媒体が主に有機液体からなるものである場合、上記溶融加工性含フッ素重合体（ｂ）は、上記液状媒体に粒子として分散したもの、及び／又は、上記液状媒体に溶解したものであり、上記充填材は、上記液状媒体に粒子として分散したものである。上記有機液体としては特に限定されず、例えば、上記プライマー用被覆組成物の液状媒体として用い得る有機液体と同じもの等が挙げられる。
上記充填材含有液状組成物の液状媒体が主に水からなるものである場合、上記溶融加工性含フッ素重合体（ｂ）と充填材とは、液状媒体に粒子として分散したものである。上記充填材含有液状組成物としては、上記液状媒体が有機液体からなるものであってもよいが、環境問題の点から、上記液状媒体が主に水からなる充填材含有水性分散体であることが好ましい。上記充填材含有水性分散体において、上記液状媒体は、主として水からなるものであれば、低分子量のアルコール等の水溶性有機液体を含むものであってもよいが、水のみからなるものが好ましい。
上記充填材含有組成物は、上記液状媒体が主に水からなるものである場合、通常、上記溶融加工性含フッ素重合体（ｂ）からなる粒子を分散安定化させることを目的として、界面活性剤を添加してなるものである。上記界面活性剤としては特に限定されず、例えば、上記プライマー用被覆組成物に用い得る界面活性剤と同じもの等が挙げられる。
上記充填材含有組成物の粘度は、上記プライマー用被覆組成物が液状のものである場合と同様、０．１〜５００００ｍＰａ・ｓであることが好ましい。より好ましい下限は、１ｍＰａ・ｓであり、より好ましい上限は、３００００ｍＰａ・ｓである。
上記充填材含有組成物において、上記溶融加工性含フッ素重合体（ｂ）からなる粒子は、平均粒子径が０．０１〜５μｍであるものが好ましい。上記充填材は、平均粒子径が１〜１００μｍであるものが好ましい。
上記充填材含有組成物は、溶融加工性含フッ素重合体（ｂ）と充填材とともに、塗装作業性や得られる含フッ素積層体の耐食性及び耐水蒸気性をより向上させること、上記充填材を含フッ素層（Ｂ）中に均一に分散させること等を目的として、更に、上述のプライマー用被覆組成物に用い得る添加剤類と同様の添加剤類からなるものであってもよい。上記充填材含有組成物は、光輝性偏平顔料等の上記充填材を分散安定化させることを目的として、顔料分散剤を添加してなるものであることが好ましい。
上記工程（ｉｉ）は、上記プライマー塗布膜（Ａｐ）上に充填材含有組成物を塗布することより含フッ素塗布膜（Ｂｐ）を形成するものである。
上記塗布の方法としては特に限定されず、例えば、上記プライマー用被覆組成物が液状である場合の塗布の方法と同じ方法等が挙げられ、なかでも、スプレー塗装が好ましい。
上記工程（ｉｉ）は、上記プライマー塗布膜（Ａｐ）上に上記充填材含有組成物を塗布することより上記含フッ素塗布膜（Ｂｐ）を形成するものであればよく、上記塗布の後、上述の工程（ｉｉｉ）を行う前に乾燥するものであってもよいし、乾燥しないものであってもよいし、更に、焼成するものであってもよいし、焼成しないものであってもよい。
上記工程（ｉｉ）における乾燥は、上記工程（ｉ）における乾燥と同様、７０〜３００℃の温度で５〜６０分間行うことが好ましい。
上記工程（ｉｉ）における焼成は、上記工程（ｉ）における焼成と同様、２６０〜４１０℃の温度で１０〜３０分間行うことが好ましい。
上記充填材含有組成物は、上記プライマー塗布膜（Ａｐ）上に塗布したのち、通常、乾燥を行うものであることが好ましく、後述の工程（ｉｉｉ）において塗布膜積層体の焼成を行うので、焼成を行わないものであることがより好ましい。
含フッ素塗布膜（Ｂｐ）は、上記プライマー塗布膜（Ａｐ）上に上記充填材含有組成物を塗布することより形成されるものである。上記含フッ素塗布膜（Ｂｐ）は、上記工程（ｉｉ）において、上記塗布のみにより形成されたものであってもよいし、上記塗布の後、乾燥することにより形成されたものであってもよいし、上記塗布の後、必要に応じて乾燥した後、焼成することにより形成されるものであってもよい。上記含フッ素塗布膜（Ｂｐ）は、得られる含フッ素積層体において含フッ素層（Ｂ）となる。
上記工程（ｉｉ）において、上記充填材含有組成物は、液状である充填材含有液状組成物であることが好ましく、上記工程（ｉｉ）は、上記プライマー塗布膜（Ａｐ）上に上記充填材含有液状組成物を塗布することより上記含フッ素塗布膜（Ｂｐ）を形成する工程（以下、「工程（２）」ということがある。）であることが好ましい。
上記工程（ｉｉｉ）は、上記含フッ素塗布膜（Ｂｐ）上に溶融加工性溶融加工性含フッ素組成物を用いて含フッ素膜（Ｃｐ）を形成して、含フッ素積層体を形成するものである。
上記溶融加工性含フッ素組成物は、溶融加工性含フッ素重合体（ｃ）からなるものである。
上記溶融加工性含フッ素組成物は、フィルム状、シート状等の成形物であってもよいし、液状であってもよいし、粉体であってもよい。上記溶融加工性含フッ素組成物は、液状である場合、溶融加工性含フッ素重合体（ｃ）とともに、液状媒体からなるものである。上記液状媒体は、通常、水及び／又は有機液体からなるものである。
上記溶融加工性含フッ素組成物の液状媒体が主に有機液体からなるものである場合、上記溶融加工性含フッ素重合体（ｃ）は、上記液状媒体に粒子として分散したもの、及び／又は、上記液状媒体に溶解したものである。上記有機液体としては特に限定されず、例えば、上記プライマー用被覆組成物の液状媒体として用い得る有機液体と同じもの等が挙げられる。
上記溶融加工性含フッ素組成物の液状媒体が主に水からなるものである場合、上記溶融加工性含フッ素重合体（ｃ）は、上記液状媒体に粒子として分散したものである。上記溶融加工性含フッ素組成物は、上記液状媒体が主に水からなる水性分散体である場合、通常、上記溶融加工性含フッ素重合体（ｃ）からなる粒子を分散安定化させることを目的として、界面活性剤を添加してなるものである。上記界面活性剤としては特に限定されず、例えば、上述のプライマー用被覆組成物に用い得る界面活性剤と同じもの等が挙げられる。
上記溶融加工性含フッ素重合体（ｃ）は、上記液状媒体に粒子として分散したものである場合、平均粒子径が０．０１〜５μｍであるものが好ましく、上記溶融加工性含フッ素組成物が粉体である場合、平均粒子径が５〜５０μｍであるものが好ましい。上記溶融加工性含フッ素組成物が粉体である場合、上記溶融加工性含フッ素重合体（ｃ）からなる粒子の平均粒子径のより好ましい下限は、１０μｍであり、より好ましい上限は、３０μｍである。
上記溶融加工性含フッ素組成物は、少ない塗装回数で厚い塗布膜を得ることが容易であることから、粉体である含フッ素粉体であるものが好ましい。
上記溶融加工性含フッ素組成物は、溶融加工性含フッ素重合体（ｃ）とともに、更に、塗装作業性や得られる含フッ素積層体の耐食性及び耐水蒸気性をより向上させることを目的として、上述のプライマー用被覆組成物に用い得る添加剤類と同様の添加剤類からなるものであってもよい。
上記工程（ｉｉｉ）は、上記含フッ素塗布膜（Ｂｐ）上に上記溶融加工性含フッ素組成物を用いて含フッ素膜（Ｃｐ）を形成して、含フッ素積層体を形成するものである。
上記含フッ素膜（Ｃｐ）を形成する方法は、上記溶融加工性含フッ素組成物が粉体である場合、上記含フッ素塗布膜（Ｂｐ）上に上記溶融加工性含フッ素組成物を塗布することによりなるものである。上記溶融加工性含フッ素組成物が粉体である場合、上記塗布の方法としては特に限定されず、例えば、上述のプライマー用被覆組成物が粉体である場合の塗布の方法と同じ方法等が挙げられ、なかでも、静電塗装が好ましい。
上記含フッ素膜（Ｃｐ）を形成する方法は、上記溶融加工性含フッ素組成物が液状である場合、上記含フッ素塗布膜（Ｂｐ）上に上記溶融加工性含フッ素組成物を塗布することよりなるものである。上記溶融加工性含フッ素組成物が液状である場合、上記塗布の方法としては特に限定されず、例えば、上記プライマー用被覆組成物が液状である場合の塗布の方法と同じ方法等が挙げられ、なかでも、スプレー塗装が好ましい。
上記含フッ素膜（Ｃｐ）を形成する方法は、上記溶融加工性含フッ素組成物が液状である場合、上記含フッ素塗布膜（Ｂｐ）上に上記溶融加工性含フッ素組成物を塗布するものであればよく、上記塗布の後、乾燥するものであってもよいし、乾燥していないものであってもよい。
上記乾燥は、上記工程（ｉ）及び上記工程（ｉｉ）における乾燥と同様、７０〜３００℃の温度で５〜６０分間行うことが好ましい。
上記含フッ素膜（Ｃｐ）を形成する方法は、溶融加工性含フッ素組成物がフィルム状等の成形物である場合、例えば、従来公知の方法等により予め成形したフィルム状等の成形物を上記含フッ素塗布膜（Ｂｐ）上に載置し、加熱圧着する等の従来公知の方法等が挙げられる。
上記含フッ素膜（Ｃｐ）は、上記含フッ素塗布膜（Ｂｐ）上に上記溶融加工性含フッ素組成物を用いることにより形成されるものである。上記含フッ素膜（Ｃｐ）は、上記工程（ｉｉｉ）において、上記溶融加工性含フッ素組成物が液状である場合、上記塗布ののち必要に応じて乾燥することにより形成されるものであってもよいし、上記溶融加工性含フッ素組成物が成形物である場合、加熱圧着することにより形成されるものであってもよい。上記含フッ素膜（Ｃｐ）は、得られる含フッ素積層体における含フッ素層（Ｃ）となる。
上記工程（ｉｉｉ）は、上記含フッ素塗布膜（Ｂｐ）上に含フッ素膜（Ｃｐ）を形成して、含フッ素積層体を形成するものである。
上記含フッ素積層体を形成する方法は、上記溶融加工性含フッ素組成物が粉体又は液状である場合、上記含フッ素塗布膜（Ｂｐ）上に上記溶融加工性含フッ素組成物を塗布することより、上記含フッ素膜（Ｃｐ）を形成したのち、上記プライマー塗布膜（Ａｐ）、上記含フッ素塗布膜（Ｂｐ）及び上記含フッ素膜（Ｃｐ）からなる塗布膜積層体を焼成する方法等が挙げられる。
上記焼成は、上記工程（ｉ）及び上記工程（ｉｉ）における焼成と同様、２６０〜４１０℃の温度で１０〜３０分間行うことが好ましい。
溶融加工性含フッ素組成物がフィルム状等の成形物である場合、上記工程（ｉｉｉ）は、上記含フッ素膜（Ｃｐ）を形成すると同時に、上記含フッ素積層体を得ることができる。
上記含フッ素積層体を形成する方法において、上記溶融加工性含フッ素組成物が成形物である場合、上記プライマー塗布膜（Ａｐ）及び上記含フッ素塗布膜（Ｂｐ）は、それぞれ次の工程を行う前に焼成することにより形成されるものであることが好ましい。
上記工程（ｉｉｉ）は、上記溶融加工性含フッ素組成物として粉体からなる含フッ素粉体を用いるものが好ましく、上記含フッ素塗布膜（Ｂｐ）上に上記含フッ素粉体を塗布することより上記含フッ素膜（Ｃｐ）を形成する工程（以下、「工程（３）」ということがある。）、並びに、上記プライマー塗布膜（Ａｐ）、上記含フッ素塗布膜（Ｂｐ）及び上記含フッ素膜（Ｃｐ）からなる塗布膜積層体を焼成することにより含フッ素積層体を形成する工程（以下、「工程（４）」ということがある。）であることが好ましい。
本発明の含フッ素積層体形成方法は、上記プライマー塗布膜（Ａｐ）を形成する工程（ｉ）の後、又は、上記含フッ素塗布膜（Ｂｐ）を形成する工程（ｉｉ）の後に、文字、図面等を印刷する工程を有するものであってもよい。上記文字、図面等は、例えば、後述の被覆物品が炊飯釜である場合、水の量を示す文字と線等である。
上記印刷の方法としては特に限定されず、例えば、パット転写印刷が挙げられる。上記印刷に用いる印刷インキとしては特に限定されず、例えば、ＰＥＳとＴＦＥホモポリマーと酸化チタンとからなる組成物が挙げられる。
本発明の含フッ素積層体形成方法は、上述の含フッ素積層体を形成するためのものであって、
基材上に含フッ素重合体（ａ）と耐熱性樹脂とからなるプライマー用被覆組成物を塗布することよりプライマー塗布膜（Ａｐ）を形成する工程（１）、
上記プライマー塗布膜（Ａｐ）上に溶融加工性含フッ素重合体（ｂ）と充填材とからなる充填材含有液状組成物を塗布することより含フッ素塗布膜（Ｂｐ）を形成する工程（２）、
上記含フッ素塗布膜（Ｂｐ）上に溶融加工性含フッ素重合体（ｃ）からなる含フッ素粉体を塗布することにより含フッ素膜（Ｃｐ）を形成する工程（３）、並びに、
上記プライマー塗布膜（Ａｐ）、上記含フッ素塗布膜（Ｂｐ）及び上記含フッ素膜（Ｃｐ）からなる塗布膜積層体を焼成することにより上記含フッ素積層体を形成する工程（４）
を含むものであることが好ましい。
本発明の含フッ素積層体形成方法は、溶融加工性含フッ素重合体（ｃ）からなる含フッ素粉体を塗布することにより、少ない塗装回数で、含フッ素積層体における上記含フッ素層（Ｃ）を上述のような厚い膜とすることができる。本発明の含フッ素積層体形成方法により得られる含フッ素積層体は、上述したように含フッ素層（Ｂ）と含フッ素層（Ｃ）との密着性が優れ、耐食性及び耐水蒸気性に優れたものであると同時に、上記含フッ素層（Ｃ）が、上述のような厚い膜であるので、特に耐摩耗性に優れたものである。
本発明の含フッ素積層体形成方法は、また、充填材含有液状組成物において充填材の分散がよいので、得られる含フッ素積層体の含フッ素層（Ｂ）において充填材が均一に分散し、充填材が有する光輝感等の特性を安定して発現することができる。
本発明の含フッ素積層体形成方法は、上述の構成からなるものであるので、基材上に含フッ素積層体を形成する方法として好適である。
本発明の被覆物品は、基材と、上述の含フッ素積層体とからなるものである。上記基材としては特に限定されず、例えば、鉄、アルミニウム、銅等の金属単体及びこれらの合金類等の金属；ホーロー、ガラス、セラミックス等の非金属無機材料等が挙げられる。上記合金類としては、ステンレス等が挙げられる。上記基材としては、金属が好ましく、アルミニウム及びステンレスがより好ましい。
本発明の被覆物品としては特に限定されず、含フッ素重合体が有する非粘着性、耐熱性、滑り性等を利用した用途に使用することができ、例えば、非粘着性を利用したものとして、フライパン、圧力鍋、鍋、グリル鍋、炊飯釜、オーブン、ホットプレート、パン焼き型、包丁、ガステーブル等の調理器具；電気ポット、製氷トレー、金型、レンジフード等の厨房用品等が挙げられ、滑り性を利用したものとして、のこぎり、やすり等の工具；アイロン等の家庭用品；金属箔等が挙げられる。なかでも、耐食性と耐水蒸気性が要求される炊飯釜、圧力鍋及びグリル鍋であることが好ましく、意匠性が要求される炊飯釜であることがより好ましい。
【発明を実施するための最良の形態】  以下に実施例を挙げて本発明を更に詳しく説明するが、本発明はこれら実施例のみに限定されるものではない。「％」「部」は、それぞれ質量％、質量部を表す。
製造例１  ポリエーテルスルホン樹脂水性分散体の調製
数平均分子量約２４０００のポリエーテルスルホン樹脂〔ＰＥＳ〕６０部及び脱イオン水６０部を、セラミックボールミル中でＰＥＳからなる粒子が完全に粉砕されるまで約１０分間攪拌した。次いで、Ｎ−メチル−２−ピロリドン（以下、ＮＭＰという）１８０部を添加し、更に、４８時間粉砕し、分散体を得た。得られた分散体を更にサンドミルで１時間粉砕し、ＰＥＳ濃度が約２０％のＰＥＳ水性分散体を得た。ＰＥＳ水性分散体中のＰＥＳからなる粒子の粒子径は、２〜３μｍであった。
製造例２  ポリアミドイミド樹脂水性分散体の調製
固形分２９％のポリアミドイミド樹脂〔ＰＡＩ〕ワニス（ＮＭＰを７１％含む）を水中に投入してＰＡＩを析出させた。これをボールミル中で４８時間粉砕してＰＡＩ水性分散体を得た。得られたＰＡＩ水性分散体の固形分は、２０％であり、ＰＡＩ水性分散体中のＰＡＩの平均粒子径は、２μｍであった。
製造例３  プライマー用被覆組成物の調製
製造例１で得られたＰＥＳ水性分散体、及び、製造例２で得られたＰＡＩ水性分散体を、ＰＥＳが、ＰＥＳとＰＡＩとの固形分合計量の８５％となるように混合し、これにテトラフルオロエチレンホモポリマー〔ＴＦＥホモポリマー〕水性分散体（平均粒子径０．２８μｍ、固形分６０％、分散剤としてポリエーテル系非イオン性界面活性剤をＴＦＥホモポリマーに対して６％含有している）を、ＰＥＳ及びＰＡＩが、ＰＥＳ、ＰＡＩ及びＴＦＥホモポリマーの固形分合計量の２０％となるように加え、増粘剤としてメチルセルロースをＴＦＥホモポリマーの固形分に対して０．７％添加し、分散安定剤としてポリエーテル系非イオン性界面活性剤をＴＦＥホモポリマーの固形分に対して６％添加して、ＴＦＥホモポリマーの固形分３４％の水性分散液を得た。
製造例４  充填材含有水性分散体の調製
テトラフルオロエチレン／パーフルオロ（アルキルビニルエーテル）〔ＰＦＡ〕水性分散体（平均粒子径０．３５μｍ、固形分４８％、分散剤としてポリエーテル系非イオン性界面活性剤をＰＦＡに対して６％含有している）に充填材としてマイカ（比重約３、平均粒子径３０μｍの二酸化チタンで被覆された雲母）をＰＦＡの固形分に対して０．６％添加して、固形分４８％の水性分散液を得た。
【実施例】  アルミニウム板（Ａ−１０５０Ｐ）の表面をアセトンで脱脂した後、ＪＩＳＢ  １９８２に準拠して測定した表面粗度Ｒａ値が２．５〜４．０μｍとなるようにサンドブラストを行い、表面を粗面化した。エアーブローにより表面のダストを除去した後、製造例３で得られたプライマー用被覆組成物を、乾燥膜厚が約１０μｍとなるように、ＲＧ−２型重力式スプレーガン（商品名、アネスト岩田社製、ノズル径１．０ｍｍ）を用い、吹き付け圧力０．２ＭＰａでスプレー塗装した。得られたアルミニウム板上の塗布膜を８０〜１００℃で１５分間乾燥し、室温まで冷却した。得られたプライマー塗布膜上に、製造例４で得られた充填材含有水性分散体を、乾燥膜厚が約１５μｍとなるように、プライマー用被覆組成物と同様にスプレー塗装した。得られた充填材含有塗布膜を８０〜１００℃で１５分間乾燥し、室温まで冷却した。得られた充填材含有塗布膜上に、ＰＦＡ粉体塗料（商品名：ＡＣＸ−３１、ダイキン工業社製、ＰＦＡの平均粒子径２５μｍ）を印加電圧５０ＫＶ、圧力０．０８ＭＰａの条件で静電塗装し、３８０℃で２０分間焼成して、膜厚が約４０μｍのＰＦＡ層を形成し、試験用塗装板を得た。得られた試験用塗装板は、アルミニウム板上にプライマー層、充填材含有層及びＰＦＡからなる層が形成されていた。
（評価方法）
得られた試験用塗装板の塗膜について、下記の評価を行った。
膜厚
高周波式膜厚計（商品名：ＬＺ−３００Ｃ、ケット科学研究所製）を用いて測定した。
おでんの素耐食試験
得られた試験用塗装板の塗膜表面に、カッターナイフでクロスカットすることによってアルミニウム板に達する傷を入れた。この試験用塗装板を、おでんの素（ヱスビー食品社製）２０ｇを水１リットルに溶解した溶液中に浸漬し、７０℃に保温してブリスターの発生等の異常がないかを１００時間毎に目視で調べ、１０００時間まで試験を行った。ブリスターの発生等の異常がない場合、合格とし、ブリスターの発生等の異常が認められた場合、不合格とした。
耐水蒸気性試験
得られた試験用塗装板を０．６ＭＰａの水蒸気中に８時間放置し、常圧に戻して取り出した後、２００℃で１分間加熱した。これを１サイクルとして１０サイクルまで繰り返し行い、ブリスターの発生の有無を調べた。ブリスター発生がない場合、合格とし、ブリスターの発生があった場合、不合格とした。
実施例で得られた試験用塗装板は、おでんの素耐食試験に１０００時間まで合格し、耐水蒸気試験にも１０サイクルまで合格であった。
比較例
製造例４で得られた充填材含有水性分散体について、ＰＦＡに代えてＴＦＥホモポリマーを使用した以外は実施例と同様に試験用塗装板を作製し、評価した。
得られた試験用塗装板は、おでんの素耐食試験に１０００時間まで合格したが、耐水蒸気試験では１サイクルでブリスターが発生し、不合格であった。また、耐水蒸気試験を行った後の試験用塗装板は、目視によりブリスター発生部分でプライマー層と充填材含有層との間の剥離が観察された。
ＰＦＡからなる充填材含有水性分散体を用いて充填材含有層を形成した実施例は、得られた試験用塗装板が耐食性と耐水蒸気性との両方に優れたものであったが、ＴＦＥホモポリマーからなる水性分散体を用いて充填材含有層を形成した比較例は、得られた試験用塗装板が耐食性に優れているものの、水蒸気中に放置することによりブリスターが発生し、耐水蒸気性に劣るものであった。
【産業上の利用可能性】  本発明の含フッ素積層体及び含フッ素積層体形成方法は、上述の構成を有するので、耐食性及び耐水蒸気性に優れ、量産時でも光輝感等の充填材の特性を安定して発現することができる含フッ素積層体並びに被覆物品を得ることができる。
【国際調査報告】
2004041537.tif 000004
2004041537.tif 000005
2004041537.tif 000006
2004041537.tif 000007